(57)【要約】【課題】    優れた工程通過性と共にエマルジョン給油工程に泡たちの量が少ないことが優れているため、ポリエステル繊維紡績用油剤を提供する。【解決手段】  有機ヒドロキシル化合物のリン酸エステル金属塩（Ａ）、消泡剤成分および水からなる紡績油剤であって、該消泡剤成分が、モノカルボン酸（ａ１）もしくはポリカルボン酸（ａ２）とアミンのアルキレンオキシド付加物（ｂ）から誘導されるカルボン酸アミド（Ｂ）であり、該リン酸エステル金属塩（Ａ）の含有量が油剤全体に基づいて２０〜８０重量％、該カルボン酸アミド（Ｂ）の含有量が０．００５〜１重量％であることを特徴とする熱融着ポリエステル不織布用紡績油剤である。【選択図】 なし【特許請求の範囲】
【請求項１】
有機ヒドロキシル化合物のリン酸エステル金属塩（Ａ）、消泡剤成分および水からなる紡績油剤であって、該消泡剤成分が、モノカルボン酸（ａ１）もしくはポリカルボン酸（ａ２）とアミンのアルキレンオキシド付加物（ｂ）から誘導されるカルボン酸アミド（Ｂ）であり、該リン酸エステル金属塩（Ａ）の含有量が油剤全体に基づいて２０〜８０重量％、該カルボン酸アミド（Ｂ）の含有量が０．００５〜１重量％であることを特徴とする熱融着ポリエステル不織布用紡績油剤。
【請求項２】
有効濃度０．８重量％で作成したエマルジョン２０ｇを１００ｍｌの有栓メスシリンダーに入れて６０℃に温調した後、これを２０回／１０秒間振とうし、６０℃で保温した状態での１分間後の泡立ち高さが９０ｍｍ以下、かつ５分間後の泡立ち高さが７０ｍｍ以下である請求１記載の不織布用紡績油剤。
【請求項３】
カード紡出中の静電気発生量が１００Ｖ以下である請求項１または２記載の不織布用紡績油剤。
【請求項４】
カルボン酸アミド（Ｂ）中のオキシアルキレン鎖の含有量が２０〜８０重量％である請求項１〜３いずれか記載の不織布用紡績油剤。
【請求項５】
該請求項１〜４いずれか記載の不織布用紡績油剤を繊維に０．０５〜１．０重量％付着してなることを特徴とする熱融着不織布用ポリエステル繊維。    
【発明の詳細な説明】
【技術分野】
【０００１】
本発明は、優れた制電性と共に、エマルジョン給油工程に泡立ち量が少ない特長を有するポリエステル繊維紡績油剤に関するものである。
さらに詳しくは、ポリエステル繊維紡績工程のエマルジョン給油時、給油タンクでのポンプによるエマルジョン循環によって発生する泡立ちを削減し、かつカーディング時に発生する静電気量が少なく、綿の風合いが良好となる紡績油剤に関するものである。
【背景技術】
【０００２】
ポリエステル繊維は、加工性、取扱易さ、嵩高性などに優れた特性を有しているため、広範囲にわたって利用されている。衣料用としては勿論のこと、オムツなどの不織布としても近年多量に使用されるようになってきた。
不織布の製造方法としては、繊維状物のウェッブにニードルパンチを施して繊維相互を交絡させる方法（ニードルパンチ法）、繊維状物をジェット水流によって相互に交絡させる方法（スパンレース法）、繊維状物を低融点共重合ポリエステルのバインダーによって熱融着する方法（サーマルボンド法）などが知られているが、このうちサーマルボンド法は、柔らかく手ざわりが良いこと、衛生的であって取り扱いが容易であること等、多くの利点を持っていることから、近年その生産量が増えてきている。
サーマルボンド法により不織布を製造する際に付与される油剤は、ウェッブを形成するカード通過工程（カーディング工程）において、カードを通過し易い摩擦特性と、その際に発生する静電気を抑制する特性が同時に要求され、さらにカード通過後の風合いが良好であることが必要である。
一方、繊維へのエマルジョン給油時には、通常、油剤エマルションを均一にし一定の付着量を与えるために給油タンクでポンプによるエマルジョン循環が行われる。そのため、油剤は、エマルションの落下による泡立ちが少ないことが求められ、かつ、スカム等の発生による付着の阻害が起こらないことが必要である。
この目的で、従来より熱融着不織布用ポリエステル繊維の油剤としては、有機ヒドロキシル化合物リン酸エステルアルカリ金属塩を含有する界面活性剤を繊維表面に付着させる方法が提案されている（特許文献１）。
【０００３】
しかし、この油剤では、発生する静電気は抑制できるが、エマルジョン給油時に、泡立ちの発生が多く、スカムの発生する場合もあり糸に均一に給油できないといった問題点がある。また、その風合いも決して満足とは言えない。
【特許文献１】特開昭５９−１５７０９１号公報
【発明の開示】
【発明が解決しようとする課題】
【０００４】
カードを通過し易い摩擦特性と静電気抑制効果を有しながら、エマルジョン給油時の泡立ちが少なく、かつスカムが発生しにくく、カード通過後の風合いの良好な熱融着ポリエステル不織布を得ることができるポリエステル紡績油剤を提供することを目的とする。
【課題を解決するための手段】
【０００５】
本発明者らは、上記の目的を達成するべく検討を行った結果、本発明に到達した。
すなわち、本発明は、有機ヒドロキシル化合物のリン酸エステル金属塩（Ａ）、消泡剤成分および水からなる紡績油剤であって、該消泡剤成分が、モノカルボン酸（ａ１）もしくはポリカルボン酸（ａ２）とアミンのアルキレンオキシド付加物（ｂ）から誘導されるカルボン酸アミド（Ｂ）であり、該リン酸エステル金属塩（Ａ）の含有量が油剤全体に基づいて２０〜８０重量％、該カルボン酸アミド（Ｂ）の含有量が０．００５〜１重量％であることを特徴とする熱融着ポリエステル不織布用紡績油剤；並びにこの不織布用紡績油剤を繊維に０．０５〜１．０重量％付着してなることを特徴とする熱融着不織布用ポリエステル繊維である。
【発明の効果】
【０００６】
本発明のポリエステル紡績油剤は熱融着法による不織布を製造する一連の工程において、カード工程では優れた制電性を有し、更にエマルジョン給油時、循環水中の泡立ち抑制と製品における良好な風合い（特に、柔軟性、ボリューム感、平滑性）を有する。このため、安定した工程通過性により生産性が向上し、更には高性能な製品を得ることができる。  
【発明を実施するための最良の形態】
【０００７】
本発明のポリエステル紡績油剤は、有機ヒドロキシル化合物のリン酸エステル金属塩（Ａ）、消泡剤成分および水を必須成分とする紡績油剤である。
有機ヒドロキシ化合物のリン酸エステル金属塩（Ａ）は、有機ヒドロキシ化合物と無水リン酸とを実質的に無水条件下に反応させてリン酸エステルを生成し、これを水酸化アルカリ金属の水溶液で中和して得られるもの等である。
ここで有機ヒドロキシ化合物と無水リン酸のモル比は通常２．３〜４であり、反応系の温度を１１５℃以上に昇温するリン酸エステル（塩）の製造法が挙げられる（例えば、特開昭５９−１５７０９１号公報に記載）。
無水リン酸は一般式Ｐ２Ｏ５で示される実質的に無水の粒状、微細粉状に乾燥されたものを使用することができる。
【０００８】
有機ヒドロキシル化合物は、分子内に活性水素原子を含有する化合物であり、例えば、脂肪族アルコール（Ａ１）、および、分子内に活性水素原子を含有する化合物のアルキレンオキシド付加物(Ａ２)が挙げられる。
脂肪族アルコール（Ａ１）としては、炭素数が通常６〜３６（好ましくは８〜２２）の直鎖又は分岐を有する飽和もしくは不飽和の脂肪族アルコール；炭素数６〜８を有する脂環式アルコールが挙げられる。
例えば、ヘキシルアルコール、オクチルアルコール、２−エチルヘキシルアルコール、デシルアルコール、ラウリルアルコール、トリデシルアルコール、ミリスチルアルコール、セチルアルコール、オレイルアルコール、イソステアリルアルコール、ベヘニルアルコール、２オクチルオクタデカノール；シクロヘキサノール、シクロヘブタノールが挙げられる。
【０００９】
分子内に活性水素原子を有する化合物のアルキレンオキシド付加物(Ａ２)は、活性水素原子を少なくとも分子内に１個有する化合物１モルに対してアルキレンオキシドを少なくとも１モル付加して得られる構造の化合物である。
この原料となる分子内に活性水素原子を含有する化合物としては、アルコール、ポリオール、カルボン酸、酸アミド、メルカプリン酸、アミン類、ヒマシ油及びその誘導体、モノおよびジグリセリド等が挙げられる。
【００１０】
例えば、アルコールとしては、メタノール、エタノール、１−プロパノール、イソプロパノール、１−ブタノール、アミルアルコール、シクロブタノール等が挙げられる。
ポリオールとしては、例えばエチレングリコール、プロピレングリコール、１，４−ブタンジオール、１，６−ヘキサンジオール等が挙げられる。  
カルボン酸としては、例えば、炭素数６〜２２の高級脂肪酸（カプリン酸、２−エチルヘキサン酸、ラウリン酸、オレイン酸、ステアリン酸、イソステアリン酸、エルシン酸、ベヘニン酸等）等が挙げられる。
【００１１】
付加させるアルキレンオキサイドとしては、炭素数２〜８好ましくは２〜４のアルキレンオキサイド：エチレンオキサイド、プロピレンオキサイド、１，２−、２，３−、１，３−又は１，４−ブチレンオキサイド；及びこれらの併用系（ランダム及びブロック）が挙げられる。
【００１２】
これらの有機ヒドロキシル化合物のうちで好ましいものは、高級アルコールと炭素数６以上の炭化水素基（特に脂肪族炭化水素基）を有する活性水素含有化合物のアルキレンオキシド付加物（特にエチレンオキシド及び／またはプロピレンオキシド付加物）である。特に好ましいのは高級アルコールである。
【００１３】
有機ヒドロキシル化合物のリン酸エステル金属塩（Ａ）を構成する金属カチオンは、アルカリ金属、アルカリ土類金属、アンモニウムおよび有機アミンである。これらのうちで、好ましいのはアルカリ金属（ナトリウム、カリウム）カチオンである。
【００１４】
有機ヒドロキシル化合物のリン酸エステル金属塩（Ａ）の含有量は、油剤全体に基づいて２０〜８０重量％であり、好ましくは３０〜７０重量％、特に好ましくは４０〜６０重量％である。２０重量％以下であると、カード通過時の静電気防止効果が不足し、８０重量％以上を超えると、取り扱い性の面で問題がある。
【００１５】
本発明の消泡剤成分は、モノカルボン酸（ａ１）もしくはポリカルボン酸（ａ２）と、アミンのアルキレンオキシド付加物（ｂ）から誘導されるカルボン酸アミド（Ｂ）である。
【００１６】
カルボン酸アミド（Ｂ）の原料となるモノカルボン酸（ａ１）としては、酢酸、プロピオン酸、ブタン酸、オクタン酸、デカン酸、ドデカン酸、ヘキサデカン酸、オクタデカン酸、オクタデセン酸、イソトリデカン酸、イソミリスチン酸、イソオクタデカン酸、イソアラキン酸、イソヘキサコ酸、エイコサン酸、ドコサン酸、ナフテン酸、トール油脂肪酸、安息香酸、ｐ−ｔ−ブチル安息香酸、トルイル酸、ナフトエ酸、ジフェニルー４−カルボン酸、ジフェニルカルボン酸、ジフェニル酢酸、ニコチン酸、イソニコチン酸等の１価の有機カルボン酸、無水酢酸、無水プロピオン酸等の酸無水物等が挙げられる。
また、前記のモノカルボン酸（ａ１）のアルキルエステルもカルボン酸アミド（Ｂ）の原料として使用でき、具体例として、プロピオン酸エチル、オレイン酸メチル、ステアリン酸メチル、大豆油、ヤシ油、ナダネ油、ヒマシ油、牛脂等のエステル化合物等が挙げられる。
【００１７】
または、ポリカルボン酸（ａ２）としては、脂肪族ポリカルボン酸、芳香族ポリカルボン酸、芳香脂肪族ポリカルボン酸が挙げられる。
【００１８】
脂肪族ポリカルボン酸としては、シュウ酸、プロパンジカルボン酸、ブタンジカルボン酸、２−メチルブタンジカルボン酸、２−フェニルブタンジカルボン酸、ペンタンジカルボン酸、３−メチルペンタンジカルボン酸、ヘキサンジカルボン酸、３，３−ジメチルペンタンジカルボン酸、オクタンジカルボン酸、シクロヘキサン−１，４−ジカルボン酸、デカンジカルボン酸、３，３−ジエチルペンタンジカルボン酸、マレイン酸、フマル酸、ペンテンジカルボン酸、３−メチルペンチンジカルボン酸、オクテンジカルボン酸、シクロヘキー２−センー１，４−ジカルボン酸、イタコン酸、メサコン酸及びイタコン酸等が挙げられる。
【００１９】
芳香族ポリカルボン酸としては、フタル酸、イソフタル酸、テレフタル酸、２−メチルベンゼンー１，４−ジカルボン酸、２，５−ジメチルベンゼンー１，４−ジカルボン酸、フランー３，４−ジカルボン酸、オキサゾールー２，４−ジカルボン酸、ピリジンー３，５−ジカルボン酸及び５−エチルベンゼンー１，３−ジカルボン酸等が挙げられる。
芳香脂肪族ポリカルボン酸としては、４−カルボキシメチル安息香酸、１，４−ビス（カルボキシメチル）イミダゾール等が挙げられる。
これらのうち、脂肪族ポリカルボン酸、芳香族ポリカルボン酸が好ましい。
【００２０】
また、前記のポリカルボン酸（ａ２）のアルキルエステルもカルボン酸アミド（Ｂ）の原料として使用でき、具体例として、脂肪族ポリカルボン酸ジアルキルエステル（プロパンジカルボン酸ジメチル、ブタンジカルボン酸ジエチル、２−メチルブタンジカルボン酸ジイソプロピル、３，３−ジメチルペンタンジカルボン酸ジメチル、マレイン酸ジメチル及びフマル酸ジエチル等）、芳香族ポリカルボン酸ジアルキルエステル（フタル酸ジメチル、イソフタル酸ジｔ−ブチル、テレフタル酸ジプロピル、フランー３，４−ジカルボン酸ジメチル及びオキサゾールー２，４−ジカルボン酸ジメチル等）、芳香脂肪族ジカルボン酸ジアルキルエステル（４−メチルカルボキシメチル安息香酸メチル、１，４−ビス（メチルカルボシメチル）ベンゼン及び２，４−ビス（メチルカルボキシメチル）イミダゾール等）が使用できる。
【００２１】
アミンのアルキレンオキシド付加物（ｂ）の原料となるアミンとしては、炭素数３〜２２のアルキルアミン、アルケニルアミン、アリールアミン及びアリールアルキルアミン等が挙げられる。
アルキルアミンとしては、ｎ−プロピルアミン、ｎ−ブチルアミン、イソブチルアミン、２−エチルヘキシルアミン、ｎ−オクチルアミン、ｎ−ウンデシルアミン、イソオクタデシルアミン、シクロヘキシルアミン、及びエイコシルアミン等が挙げられる。
【００２２】
アルケニルアミンとしては、１−プロペニルアミン、２−プロペニルアミン、３−ブテニルアミン、４−イソヘキセニルアミン、９−デセニルアミン、オレイルアミン、オクタデカンジエニルアミン、シクロへキセニルアミン及びエイコセニルアミン等が挙げられる。
アリールアミンとしては、アニリン、トルイジン、ジメチルアニリン、クメニルアミン、メシチルアミン、フェニルフェニルアミン（ビフェニリルアミン）、ビニルフェニルアミン、プロペニルフェニルアミン、オクチルフェニルアミン、ノナニルフェニルアミン、ジオクチルフェニルアミン、ナのチルアミン、ピリジニルアミン、及びアントリルアミン等が挙げられる。
【００２３】
アリールアルキルアミンとしては、ベンジルアミン、フェニルエチルアミン、フェニルプロピルアミン、フェニルヘキシルアミン、トルイルエチルアミン、オクチルフェニルメチルアミン、ビニルフェニルエチルアミン及びプロペニルフェニルメチルアミン等が挙げられる。
【００２４】
これらのうちに、アルキルアミン、アルケニルアミン及びアリールアルキルアミンが好ましく、さらに好ましくは、アルキレンアミン及びアリールアルキルアミン、特に好ましくはアルキルアミンである。
【００２５】
アミンのアルキレンオキシド付加物（ｂ）としては、炭素数２〜８のアルキレンオキシドと上述アミンとの付加反応したものが挙げられる。
炭素数２〜８のアルキレンオキシドとしては、エチレンオキシド、プロピレンオキシド、ブチレンオキシド及びスチレンオキシドが挙げられる。
アルキレンオキシドは、同種でも混合でもよい。混合の場合、付加反応様式はブロック状、ランダム状及びこれらのいずれでもよいが、ブロック状及び混合が好ましい。
【００２６】
消泡剤成分には、以上のカルボン酸アミド（Ｂ）の他に、必要に応じて溶媒及び他の界面活性剤等を含んでも良い。
溶媒としては、水、炭素数１〜２０の有機溶媒（ヘキサン及びキシレン等の炭化水素、メタノール及びイソプロパノール等のアルコール、アセトン及びメチルブチルケトン等のケトン、ジエチルエーテル、ジエチレングリコール及びブトキシジエチレングリコール等のエーテル、酢酸エチル及びブトキシエチレングリコールアセテート等のエステル等）、動粘度（２５℃）５〜５０の炭化水素油（パラフィンオイル及び鉱物油等）及び動植物油等が含まれる。
【００２７】
他の界面活性剤としては、消泡効果を有する公知のノニオン界面活性剤、カチオン界面活性剤、アニオン界面活性剤及び両性界面活性剤が含まれる。
【００２８】
上記の溶媒及び他の界面活性剤等の合計の配合率は、通常３０重量％以下、好ましくは５０重量％以下、特に好ましくは８０重量％以下である。
撹拌混合する方法としては、各構成成分を分割して撹拌混合する方法、全ての構成成分を一度に撹拌混合する方法等が挙げられ、いずれの方法でも良い。
撹拌混合する温度及び時間は、配合物を均一に混合できればよく特に制限されないが、通常５〜６０℃及び１０分間〜５時間である。また、撹拌混合設備についても特に制限はないが、通常羽根型撹拌機、ラインミキサーなどである。
【００２９】
カルボン酸アミド（Ｂ）中のオキシアルキレン鎖の含有量は、通常２０〜８０重量％であり、好ましくは３０〜７０重量％、特に好ましくは４０〜６０重量％である。
８０重量％を超えると初期破泡性が優れたものとなる反面、抑泡持続性が低下する。２０重量％未満では抑泡持続性に優れるが、初期破泡性が劣る。
【００３０】
消泡剤成分の有効成分の含有量は、紡績油剤全体に対して０．００５〜１重量％であリ、好ましくは０．０１〜１重量％、特に好ましくは０．０５〜１重量％である。０．００５重量％以下であると、消泡効果が不足し、１重量％以上を超えると、風合いが悪くなる。
【００３１】
消泡剤成分の配合方法としては、有機ヒドロキシル化合物のリン酸エステル金属塩（Ａ）と直接配合して使用することもできるし、または（Ａ）のエマルジョン溶液中に連続添加、断続添加、または泡測定器と消泡剤添加装置とを連動させ自動的に添加する方法等のいずれでもよい。また、添加に際しては、適当な溶剤または水などで希釈してもよく、他の効果を阻害しない範囲で一般的な消泡剤と併用することもできる。
【００３２】
本発明の紡績油剤の泡立ち量の測定方法は、以下の通りである。
＜泡立ち量の測定方法＞
（１）発泡試験水として、有効濃度が０．８重量％になるように紡績油剤をイオン交換水で希釈、攪拌してエマルジョン溶液を作成する。
（２）ＪＩＳ  Ｒ３５０４「化学用体積計ガラス素材」の有栓メスシリンダーとして寸法が規定された１００ｍｌのガラス製有栓メスシリンダー（外径２９〜３４ｍｍ、高さ２６０〜２７０    ←＜上限は部屋にある実物で一番長いものを記載して下さい＞  ｍｍ）にこの発泡試験水２０ｍｌを入れ、恒温水槽中で６０℃に温調する。    
（３）有栓メスシリンダーの蓋を閉め、上下２０回／１０秒間に激しく振とうする。
（４）振とう後に静置して１分後と５分後のそれぞれの泡立ち高さ（ｍｍ）を測る。
【００３３】
上記の評価試験で、静置１分後の泡立ち高さが初期消泡性を、５分後の泡立ち高さが消泡持続性を示している。
初期消泡性に優れた本発明の紡績油剤の静置１分後の泡立ち高さは、通常９０ｍｍ以下、好ましくは８０ｍｍ以下、さらに好ましくは７０ｍｍ以下である。
また、本発明の紡績油剤は消泡持続性にも優れ、その静置５分後の泡立ち高さは、通常７０ｍｍ以下、好ましくは６０ｍｍ以下、さらに好ましくは５５ｍｍ以下である。
【実施例】
【００３４】
以下、実施例及び比較例により本発明をさらに説明するが、本発明はこれらに限定されるものではない。以下、特に定めない限り、％は重量％、部は重量部を示す。
【００３５】
実施例１         
２００ｍｌビーカーにイオン交換水９９．２ｇを取り、マグネット撹拌子で撹拌しながら、ラウリルアルコールリン酸エステルカリウム塩（Ａ−１）０．８ｇとマレイン酸と２−エチルヘキシルアミンのエチレンオキシド３モル付加物とのアミド化合物（Ｂ−１）０．０４ｇを投入し、５分間撹拌して、試験用エマルジョンを調製した。
【００３６】
調製したエマルジョンを６０℃の恒温水槽中で温調し、１５分間後取り出して、上下２０回激しく振動する。エマルジョン溶液の振動による１分間後と５分間後の泡の高さを測定する。
このエマルジョン溶液を、油剤付着量が０．１６重量％になるようにポリエステル原綿にスプレー法で給油し、５０℃の循風乾燥器で２時間乾燥した。
その後、開綿機を通して、フラットカード紡出速度５ｍ／分で紡出させた時に、ドッファーでのウェッブ表面の静電気発生量を集電式電位測定器にて測定した。また、こうして得られたウェッブの風合い（柔軟性、ボリューム感、平滑性）を測定した。
【００３７】
実施例２〜５、比較例１〜４
表１に示す割合で配合した各油剤を、上述の方法と同様な方法でエマルジョン溶液を作成し、これらの泡立ち高さ、静電気発生量、風合いを同様に測定した。測定結果は表１に示す。
【００３８】
なお、表１中のリン酸エステル塩（Ａ−２）、（Ａ−３）と消泡剤（Ｂ−２）、（Ｂ−３）、（Ｂ’−１）、（Ｂ’−２）の化学組成は以下の通りである。
（Ａ−２）：２−エチルヘキシルアルコールリン酸エステルカリウム塩
（Ａ−３）：ステアリルアルコールリン酸エステルカリウム塩
（Ｂ−２）：コハク酸とプロピルアミンのエチレンオキシド２モル付加物とのアミド
化合物
（Ｂ−３）：テレフタル酸とデシルアミンのエチレンオキシド５モル付加物とのアミド
化合物
（Ｂ’−１）：ドデシルアルコールのプロピレンオキシド（１０モル）とエチレン
オキシド（４モル）の付加物
（Ｂ’−２）：ＳＮデフォーマー１３１０（変性シリコーン系；サンノプコ株式会社製）
【００３９】
【表１】
2009108437.tif 000002
【００４０】
また、風合い（柔軟性、ボリューム感、平滑性）の評価方法は、以下の通りである。
＜柔軟性の評価方法＞
紡績油剤で処理しないポリエステル短繊維を、実施例および比較例と同様の方法でウェッブとし、これをコントロールとして触感で官能評価し、以下の様に判定した。
○ :コントロールより柔らかい
△：コントロールと同等の柔らかさ
×：コントロールより硬い
【００４１】
＜ボリューム感の評価方法＞
柔軟性の評価と同様に、コントロールと比較して触感で官能評価し、以下の様に判定した。
○ :コントロールよりかさ（ボリューム感）が大きい
△：コントロールと同等のボリューム感
×：コントロールよりボリューム感劣る
【００４２】
＜平滑性の評価方法＞
得られたウェッブを温湿度２５℃×６０％ＲＨの雰囲気下で、レーダー式繊維摩擦係数測定機（葵精機製）を使用して、Ｆ ／Ｆ間の摩擦係数μSを測定した。
○ : ０．３０未満  
△： ０．３０〜０．３２
×： ０．３２以上      
【００４３】
なお、ウェッブでの静電気発生量は、カード通過性を良好とするためには、一般的には、１５０Ｖ以下であることが必要である。
【００４４】
表１から明らかなように、実施例１〜５のエマルジョン溶液では、１分後および５分後の泡立ち高さが共に小さく、かつ、風合いが良好である。
一方、消泡剤成分を含まない比較例１と消泡剤成分として非アミド系を用いた比較例３は、１分後および５分後の泡立ち高さが共に大きい。また、アミド系の消泡剤成分を過剰に含む比較例２と消泡剤成分としてシリコ−ン系を含む比較例４は、１分後および５分後の泡立ちは低いが、風合いが悪い。
【産業上の利用可能性】
【００４５】
本発明の油剤は、優れた工程通過性を有し、かつ、エマルジョン給油工程において泡立ちが少なく、良好な風合いを保持するため、生産性の向上が可能で高品質の製品を得ることができ、ポリエステル繊維紡績として有用である。